(57)【要約】【課題】子供や身体弱者がＯＮ−ＯＦＦスイッチ部のＯＮ−ＯＦＦ操作を容易に行うことができるスイッチの操作補助具を提供する。【解決手段】壁面Ｗに設けられた埋込スイッチＳに取付けられる補助具本体１を備える。埋込スイッチＳのＯＮ−ＯＦＦスイッチ部Ｓ１　をＯＮ−ＯＦＦするように接触する接触部を左右中央に有すると共に、左右端部に押圧部３が付設されて補助具本体１に鉛直軸心廻りに揺動可能に取付けられた操作揺動部材４を備える。操作揺動部材４を鉛直軸心廻りに揺動するように垂下された操作紐体５を備える。【選択図】　図１
2004095454.tif 000002
【特許請求の範囲】
【請求項１】
壁面（Ｗ）に設けられた埋込スイッチ（Ｓ）に取付けられる補助具本体（１）と、上記埋込スイッチ（Ｓ）のＯＮ−ＯＦＦスイッチ部（Ｓ１　）をＯＮ−ＯＦＦするように接触する接触部（２）を左右中央に有すると共に、左右端部に押圧部（３）が付設されて上記補助具本体（１）に鉛直軸心（Ｌ１　）廻りに揺動可能に取付けられた操作揺動部材（４）と、該操作揺動部材（４）を鉛直軸心（Ｌ１　）廻りに揺動するように垂下された操作紐体（５）と、を備えたことを特徴とするスイッチの操作補助具。
【請求項２】
補助具本体（１）に付設されて埋込スイッチ（Ｓ）に対する上下方向の位置決めを行うための位置決め用係止片（６）を有する請求項１記載のスイッチの操作補助具。
【請求項３】
１口スイッチ用の位置決め用係止片（６）と、２口スイッチ用の位置決め用係止片（６）が交換自在に付設された請求項２記載のスイッチの操作補助具。
【請求項４】
押圧部（３）が、元のＯＮ−ＯＦＦスイッチ部（Ｓ１　）の面積（Ａ１　）よりも大きな面積（Ａ３　）に形成されている請求項１，２又は３記載のスイッチの操作補助具。
【請求項５】
補助具本体（１）に突設されて埋込スイッチ（Ｓ）に対する左右方向の位置決めを行うための位置決め用係止片（１６）を有する請求項１，２，３又は４記載のスイッチの操作補助具。
【発明の詳細な説明】
【０００１】
【発明の属する技術分野】
本発明は、スイッチの操作補助具に関する。
【０００２】
【従来の技術】
【特許文献１】
特開平６−２２３６７８号
【０００３】
一般に、室内の電灯のＯＮ−ＯＦＦを行うために、図１２に示すように、部屋の壁面Ｗ０　に、埋込スイッチ４０が付設される。この埋込スイッチ４０は、スイッチ台４１と、スイッチ台４１の孔部４２にＯＮ−ＯＦＦ切換え自在に付設されるＯＮ−ＯＦＦスイッチ部４３とから成る。
【０００４】
【発明が解決しようとする課題】
しかし、通常、埋込スイッチ４０は、成人が操作しやすい高さ位置に設けられるため、（背の低い）子供は、ＯＮ−ＯＦＦスイッチ部４３に手が届かず、ＯＮ−ＯＦＦスイッチ部４３のＯＮ−ＯＦＦ操作を行うことが困難であった。また、ＯＮ−ＯＦＦスイッチ部４３の正面視面積Ａ０　が小さいために、身体弱者にとってＯＮ−ＯＦＦスイッチ部４３のＯＮ−ＯＦＦ操作を行うのが困難となる虞れがあった。
【０００５】
また、特開平０６−２２３６７８号のスイッチの操作補助具は、１本の軸部材によって補助具本体を回動可能としているので、ＯＮ−ＯＦＦスイッチ部４３のＯＮ−ＯＦＦ操作を行うとき、１本の軸部材に力が集中してかかり、強度的に劣るという欠点があった。
【０００６】
そこで、本発明は、子供や身体弱者がＯＮ−ＯＦＦスイッチ部のＯＮ−ＯＦＦ操作を容易に行うことができるスイッチの操作補助具を提供することを目的とする。また、強度的に優れたスイッチの操作補助具を提供することを他の目的とする。
【０００７】
【課題を解決するための手段】
上述の目的を達成するために、本発明に係るスイッチの操作補助具は、壁面に設けられた埋込スイッチに取付けられる補助具本体と、上記埋込スイッチのＯＮ−ＯＦＦスイッチ部をＯＮ−ＯＦＦするように接触する接触部を左右中央に有すると共に、左右端部に押圧部が付設されて上記補助具本体に鉛直軸心廻りに揺動可能に取付けられた操作揺動部材と、該操作揺動部材を鉛直軸心廻りに揺動するように垂下された操作紐体と、を備えたものである。
【０００８】
また、補助具本体に付設されて埋込スイッチに対する上下方向の位置決めを行うための位置決め用係止片を有するものである。また、１口スイッチ用の位置決め用係止片と、２口スイッチ用の位置決め用係止片が交換自在に付設されたものである。また、押圧部が、元のＯＮ−ＯＦＦスイッチ部の面積よりも大きな面積に形成されているものである。また、補助具本体に突設されて埋込スイッチに対する左右方向の位置決めを行うための位置決め用係止片を有するものである。
【０００９】
【発明の実施の形態】
以下、実施の形態を示す図面に基づき、本発明を詳説する。
【００１０】
図１〜図３は、本発明の第１の実施の形態を示す。このスイッチの操作補助具は、壁面Ｗに設けられた２口スイッチ───２個のＯＮ−ＯＦＦスイッチ部Ｓ１　，Ｓ１　が設けられた埋込スイッチＳ───に取付けられて、埋込スイッチＳのＯＮ−ＯＦＦスイッチ部Ｓ１　を容易にＯＮ−ＯＦＦするために使用される。図１〜図３は、上側のＯＮ−ＯＦＦスイッチ部Ｓ１　のＯＦＦ状態を示す。（ＯＮ−ＯＦＦスイッチ部Ｓ１　のＯＮ状態については、後述する。）
【００１１】
スイッチの操作補助具は、壁面Ｗに設けられた埋込スイッチＳに取付けられる補助具本体１を備える。補助具本体１は、例えば、プラスチックや木材等から成る。また、埋込スイッチＳのＯＮ−ＯＦＦスイッチ部Ｓ１　をＯＮ−ＯＦＦするように接触する接触部２を左右中央に有すると共に、左右端部に押圧部３，３が付設されて補助具本体１に鉛直軸心Ｌ１　廻りに揺動可能に取付けられた操作揺動部材４を備える。
【００１２】
押圧部３は、元のＯＮ−ＯＦＦスイッチ部Ｓ１　の面積Ａ１　よりも大きな面積Ａ３　に形成されている。すなわち、元のＯＮ−ＯＦＦスイッチ部Ｓ１　の面積Ａ１　と、押圧部３の面積Ａ３　は、Ａ１　＜Ａ３　に設定される。面積Ａ１　と面積Ａ３　が、Ａ１　≧Ａ３　の場合、本発明のスイッチの操作補助具を付設しない場合と比較して、押圧部３を指にてＯＮ−ＯＦＦする（押圧する）のが、困難になる。
【００１３】
スイッチの操作補助具は、操作揺動部材４を鉛直軸心Ｌ１　廻りに揺動するように垂下された操作紐体５を備える。（操作揺動部材４が揺動した状態は、後述する。）
【００１４】
図４に示すように、スイッチの操作補助具は、補助具本体１に付設されて埋込スイッチＳに対する上下方向の位置決めを行うための位置決め用係止片６を有する。位置決め用係止片６は、垂直壁部７と水平壁部８を有する。水平壁部８が、埋込スイッチＳの上端縁１５に係止する。垂直壁部７は、前方突出状の嵌着用棒部９，９を有する。また、１６は、補助具本体１に突設されて埋込スイッチＳに対する左右方向の位置決めを行うための位置決め用係止片を示す。位置決め用係止片６、位置決め用係止片１６によって、埋込スイッチＳに対する位置決めを容易に行うことができる。（なお、図４に於て、操作紐体５は図示省略した。）
【００１５】
図５に示すように、補助具本体１は、位置決め用係止片６（図１・図４参照）を付設するための穴部１０，１０を有する。位置決め用係止片６を補助具本体１に付設するには、嵌着用棒部９，９を穴部１０，１０に嵌着する。
【００１６】
補助具本体１は、その略中央に矩形状の孔１４を有する。また、補助具本体１は、その裏面１ａに、複数の両面粘着テープ１２が付設される。この両面粘着テープ１２によって、スイッチの操作補助具を埋込スイッチＳ（図１参照）に付設（貼着）する。
【００１７】
図６〜図８は、（上側の）ＯＮ−ＯＦＦスイッチ部Ｓ１　のＯＮ状態を示す。図１〜３に示したＯＦＦ状態を、図６〜図８に示すＯＮ状態に切換えるには、操作揺動部材４の右側の押圧部３を押圧する方法と、右側の操作紐体５を下方へ引張る方法がある。逆に、ＯＮ−ＯＦＦスイッチ部Ｓ１　を、ＯＮ状態からＯＦＦ状態に切換えるには、操作揺動部材４の左側の押圧部３を押圧する方法と、左側の操作紐体５を下方へ引張る方法がある。
【００１８】
操作紐体５の先端部５ｂには、取っ手１３が付設される。取っ手１３は、蓄光材料から成るのが好ましく、この場合、暗い部屋の中でも、取っ手１３が光って、見え易いので、埋込スイッチＳのＯＮ−ＯＦＦスイッチ部Ｓ１　を容易にＯＮ−ＯＦＦすることができる。
【００１９】
図８に示すように、操作揺動部材４は、操作紐体５をスライド自在に引掛ける方向転換用棒材１１を有する。操作紐体５を下方に引張ると、方向転換用棒材１１によって、操作紐体５の先端部５ｂ側にはたらく略鉛直方向の力Ｆ２　が、操作紐体５の基端部５ａ側にはたらく略水平方向の力Ｆ１　に方向転換される。なお、操作紐体５は、その基端部５ａが補助具本体１に固着され、その固着の位置は、正面から見て、各押圧部３の裏面中心に対応する位置が好ましい。そのようにすれば、略鉛直方向の力Ｆ２　が９０°方向転換して、略水平方向の力Ｆ１　に変換される。
【００２０】
図９・図１０は、スイッチの操作補助具を、１口スイッチ───１個のＯＮ−ＯＦＦスイッチ部Ｓ１　が設けられた埋込スイッチＳ───に取付ける場合を示す。すなわち、１口スイッチ用の位置決め用係止片６と、２口スイッチ用の位置決め用係止片６（図１・図４・図６参照）は交換自在に付設される。なお、図１０に於て、操作紐体５は図示省略した。
【００２１】
図４・図１０に示すように、１口スイッチ用の位置決め用係止片６の垂直壁部７の鉛直方向寸法Ｈ１　は、２口スイッチ用の位置決め用係止片６の垂直壁部７の鉛直方向寸法Ｈ２　よりも大きく設定される。すなわち、Ｈ１　＞Ｈ２　に設定される。鉛直方向寸法Ｈ１　及び鉛直方向寸法Ｈ２　は、それぞれ、１口スイッチ及び２口スイッチの寸法に対応して設定される。具体的には、鉛直方向寸法Ｈ１　及び鉛直方向寸法Ｈ２　は、補助具本体１を埋込スイッチＳに付設したときに、補助具本体１の孔１４（図５参照）が、ＯＮ−ＯＦＦスイッチ部Ｓ１　に対応するように位置する寸法に設定される。
【００２２】
図１１は、第２の実施の形態を示す。このスイッチの操作補助具は、２口スイッチに付設されるスイッチの操作補助具であって、独立にＯＮ−ＯＦＦ操作自在な２個の操作揺動部材４，４が、各ＯＮ−ＯＦＦスイッチ部Ｓ１　，Ｓ１　に対応する位置に───上下２段に───付設される。なお、本発明は設計変更可能であって、例えば、取っ手１３の形状を、月の形や、クマの形等に形成するも良い。また、操作紐体５の垂下長さは、３０ｃｍ〜２００ｃｍ　とする。特に、５０ｃｍ〜１５０ｃｍ　が使い易く実用性に優れる。
【００２３】
【発明の効果】
本発明は、上述の如く構成されるので、次に記載する効果を奏する。
【００２４】
（請求項１によれば）子供や身体弱者がＯＮ−ＯＦＦスイッチ部Ｓ１　のＯＮ−ＯＦＦ操作をスイッチ部Ｓ１　よりも十分下方の位置から容易に行うことができる。補助具本体１を簡単かつ確実に埋込スイッチＳに取付けることができる。
【００２５】
（請求項２によれば）埋込スイッチＳに対する位置決めを容易に行うことができる。また、補助具本体１の裏面１ａを両面粘着テープ１２で取付けるような場合等に於て、位置決め用係止片６が取付補強の役目を成し、強度的に優れ、耐用時間を長くすることができる。
【００２６】
（請求項３によれば）位置決め用係止片６を交換するという簡単な作業のみで、１口スイッチ及び２口スイッチのどちらにも適用することができる。
（請求項４によれば）（操作紐体５を使用しないでＯＮ−ＯＦＦ操作させる場合）押圧部３が大型なので、身体弱者もＯＮ−ＯＦＦスイッチ部Ｓ１　のＯＮ−ＯＦＦ操作を容易に行うことができる。
【００２７】
（請求項５によれば）埋込スイッチＳに対する左右方向の位置決めを容易に行うことができる。操作紐体５を強く引下げたとき、補助具本体１が左右方向に振れるのを、確実に防止できる。
【図面の簡単な説明】
【図１】本発明の第１の実施の形態の使用状態を示す正面図である。
【図２】断面底面図である。
【図３】要部簡略側面図である。
【図４】簡略側面図である。
【図５】背面図である。
【図６】正面図である。
【図７】断面底面図である。
【図８】要部簡略断面側面図である。
【図９】他の使用状態を示す正面図である。
【図１０】簡略側面図である。
【図１１】第２の実施の形態を示す正面図である。
【図１２】埋込スイッチを示す正面図である。
【符号の説明】
１　補助具本体
２　接触部
３　押圧部
４　操作揺動部材
５　操作紐体
６　位置決め用係止片
１６　位置決め用係止片
Ａ１　　面積
Ａ３　　面積
Ｌ１　　鉛直軸心
Ｓ　埋込スイッチ
Ｓ１　　ＯＮ−ＯＦＦスイッチ部
Ｗ　壁面
【図１】
2004095454.tif 000003
【図２】
2004095454.tif 000004
【図３】
2004095454.tif 000005
【図４】
2004095454.tif 000006
【図５】
2004095454.tif 000007
【図６】
2004095454.tif 000008
【図７】
2004095454.tif 000009
【図８】
2004095454.tif 000010
【図９】
2004095454.tif 000011
【図１０】
2004095454.tif 000012
【図１１】
2004095454.tif 000013
【図１２】
2004095454.tif 000014